(57)【特許請求の範囲】
【請求項１】
フロア１０やステップを有する走行車体１の後に設けた昇降枠１５に着脱自在に取り付けられた播種装置３と、走行車体１に設けた座席１２の後で前記走行車体１に固定された施肥装置２とを設け、播種装置３に設けたフロート２３には播種用と施肥用の作溝器２７，２８が固定されて前記フロート２３の泥面の滑走で該泥面に播種溝及び施肥溝を作り、施肥装置２に備える横長の肥料タンク４６内の肥料が前記施肥溝内に施肥され、播種装置３に備える横長の種子タンク３２内の種子が前記播種溝内に播種される構成とし、前記肥料タンク４６及び種子タンク３２は各々散布物が上向きの入口から入る構成でほぼ同じ高さで前後に取付けられ、肥料タンク４６の前方下部に横軸５２を設け、Ｌ形の補助ステップ５１の端を前記横軸５２で回動自在に取り付けて前記補助ステップ５１を肥料タンク４６の上に位置させることができる構成とした散布機。
【発明の詳細な説明】
【０００１】
【発明の属する技術分野】
この発明は、種子と肥料を同時に散布する移動農機に用いるものである。
【０００２】
【従来の技術】
例えば湛水直播機は、肥料が入るタンクと種子が入るタンクが走行車体の座席の後に前後に取付けられ、これらが一行程で同時に散布されるようになっている。
【０００３】
【発明が解決しようとする課題】
上記の湛水直播機で作業の途中でタンクに種子を補充するとき、路面が悪いために、オペレータは走行車体上でその補充を行うが、前側の肥料用のタンクが邪魔して後側のタンクに対する種子の補充が困難であった。
【０００４】
【課題を解決するための手段】
上記の課題を解決するため、この発明は、フロア１０やステップを有する走行車体１の後に設けた昇降枠１５に着脱自在に取り付けられた播種装置３と、走行車体１に設けた座席１２の後で前記走行車体１に固定された施肥装置２とを設け、播種装置３に設けたフロート２３には播種用と施肥用の作溝器２７，２８が固定されて前記フロート２３の泥面の滑走で該泥面に播種溝及び施肥溝を作り、施肥装置２に備える横長の肥料タンク４６内の肥料が前記施肥溝内に施肥され、播種装置３に備える横長の種子タンク３２内の種子が前記播種溝内に播種される構成とし、前記肥料タンク４６及び種子タンク３２は各々散布物が上向きの入口から入る構成でほぼ同じ高さで前後に取付けられ、肥料タンク４６の前方下部に横軸５２を設け、Ｌ形の補助ステップ５１の端を前記横軸５２で回動自在に取り付けて前記補助ステップ５１を肥料タンク４６の上に位置させることができる構成とした散布機とした。
【０００５】
【発明の実施の形態】
つぎに、この発明の実施例を説明する。
走行車体１の後に施肥装置２付の播種装置３が取付けられて湛水直播機となっている（図１、図２）。
その走行車体１がつぎのように構成されている。フレーム４の前後に設け主歯車箱５と後輪歯車箱６の両横にそれぞれ前輪７と後輪８が取付けられている。エンジン９がフレーム４に取付けられ、その動力が主歯車箱５内の変速機で所定の回転数に調整されたのち、前輪７と後輪８に伝わり、これらが水田の耕盤上で回転して走行車体１が進行するように出来ている。
【０００６】
フロア１０が主歯車箱５とフレーム４の上に設けられ、これから突出したカバー１１でエンジン９が被われてその上に座席１２が設けられている。その前に配置したステアリングハンドル１３を操作すると、前輪７が操縦されて、走行車体１の進路が変わるようになっている。
支柱１４がフレーム４の後部から上に突出し、これと後の昇降枠１５が上下で平行なリンク１６で連結されている。昇降シリンダ１７の前端がフレーム４に回動自在に取付けられ、ピストンロッド１８がこれから斜後上に突出し、上のリンク１６と一体のアーム１９の下端がその突端に接続している。そして、昇降シリンダ１７に油を給排するとピストンロッド１８が出没して、昇降枠１５が同じ姿勢を保って昇降するように出来ている。
【０００７】
播種装置３がつぎのように構成されている。機枠２０が昇降枠１５の後面に着脱自在に取付けられている。横に長いパイプフレーム２１の中央部がローリング軸２２で機枠２０の下部に揺動自在に取付けられている。４個のフロート２３が横並びに配置されている。複数の支持フレーム２４がパイプフレーム２１から斜後下に伸び、その下腹部の横軸２５から同方向に伸びたアーム２６の後端にそれぞれの後部が回動自在に取付けられて、それぞれのフロート２３が走行車体１の前進で水田の泥面を滑走するように出来ている。
【０００８】
フロート２３は、前部が左右に突出し、それぞれの突出部に播種用と施肥用の一対の作溝器２７，２８が固定され、前記の滑走で泥面にそれぞれ８個の播種溝および施肥溝を作るようになっている。
機枠２０が昇降枠１５の上を通って斜前方に伸び、その上に横に長い筒形のエアチャンバ２９が固定されている。４本の吹出管３０がエアチャンバ２９から後に突出し、左端の送風機３１でエアチャンバ２９に吹き込まれた空気が吹き出されるようになっている。
【０００９】
横長の種子タンク３２の底が４個の谷に分かれ、それぞれの谷が誘導筒３３で吹出管３０の中間部に連結固定されている。蓋３４で種子タンク３２が被われ、これを開くと、上の入口から種籾が入る。
外周に繰出溝を有するロータがそれぞれの誘導筒３４内に設けられ、これがエンジン９の動力で回転して上記の種籾の一定量を吹出管３０に繰り出すようになっている。
【００１０】
先端を吹出管３０の後端に取付けたチューブ３５は、途中で二つに分かれて一方がリターンパイプ３５ａとなって種子タンク３２に達し、他方がその後でさらに二つに分かれて分岐管３５ｂ，３５ｃとなって１個のフロート２３のそれぞれの種子用の作溝器２７に達している（図３、図４）。リターンパイプ３５ａと外側の分岐管３５ｂにリターンバルブ３６Ａと開閉バルブ３６Ｂが設けられ、それぞれでリターンパイプ３５ａを閉じて分岐管３５ｂを開くと、前記の吹出管３０に繰り出された種籾がエアチャンバ２９から吹き出される空気で送られて作溝器２７に達し、前記の８個の播種溝内に播種されるように出来ている。
【００１１】
播種機が畦の横に近づいて、播種の条数を低減するときは、つぎのようにする。すなわち、左端又は右端のリターンバルブ３６Ａでそのリターンパイプ３５ａを開くとともに、同じ端の開閉バルブ３６Ｂで分岐管３５ｂを閉じると、その端の作溝器２７への種籾の供給が止ってその分の種籾が種子タンク３２に返され、播種条数が７条となる。右又は左のロータの回転を止める（クラッチ切り）と、播種条数が６条となる。外側のロータの回転停止に加え、その内側のリターンバルブ３６Ａと開閉バルブ３６Ｂを上記のように操作すると、播種条数が５条となる。
【００１２】
リターンバルブ３６Ａのアーム３７Ａと開閉バルブ３６Ｂのアーム３７Ｂ（図５、図６）をワイヤ３８Ａ，３８Ｂで開閉レバー３９に連結し（図７）、両者を同時に上記のように作動させると、好都合である。
埋戻具４０がそれぞれの作溝器２７の後でフロート２３の裏面に設けられ、種籾が散布された播種溝をその滑走で埋め戻すようになっている。なお、泥土の硬軟を検出するセンサ４１を設け、その入力で制御装置が電動シリンダ４２に出力し、埋戻具４０の前進方向に対する傾斜が変化して、泥土の硬軟にかかわらず埋戻しの土量が均一化するように構成できる。
【００１３】
施肥装置２がつぎのように構成されている。筒形のエアチャンバ４３が座席１２の後で走行車体１に横長に固定されている。８本の吹出管４４がエアチャンバ４３から後に突出し、左端の送風機４５でエアチャンバ４３に吹き込まれた空気が吹き出されるようになっている。横長の肥料タンク４６の底が８個の谷に分かれ、それぞれの谷が誘導筒４７で吹出管４４の中間部に連結固定されている。蓋４８で肥料タンク４６が被われ、これを開くと、上の入口から粒状（又は粉状）の肥料が入る。
【００１４】
外周に繰出溝を有するロータがそれぞれの誘導筒３４内に設けられ、これがエンジン９の動力で回転して上記の肥料の一定量を吹出管４４に繰り出すようになっている。前後の吹出管４４と作溝器２８がチューブ４９で連結され、上記の繰り出された肥料が空気でその中を送られて施肥溝内に散布されるように出来ている。
【００１５】
なお、エンジン９の動力は、ＰＴＯ軸でＰＴＯ歯車箱５３に達したのち、クランクで上下に往復するロッドで施肥装置２のロータを駆動する。また、ＰＴＯ歯車箱５３内の回転がプロペラシャフトで出力歯車箱５４に達し、同じように上下に往復するロッドで播種装置３のロータを駆動している。
そして、座席１２の左の昇降レバー５０の操作で昇降弁（図示していない）を操作し、ポンプが吐出した油を昇降シリンダ１７に送ると、ピストンロッド１８が突出し、播種装置２が上昇しながら前に移動して、種子タンク３２が肥料タンク４６の上（図１の斜線）に来るようになっている。そのため、播種作業の途中で種子タンク３２内に種籾が少なくなると、種子タンク３２を上記の位置に移動させてフロア１０上から種籾を補充する。
【００１６】
Ｌ形の補助ステップ５１の端を肥料タンク４６の前方下部に横軸５２で回動自在に取付けることが出来る（図１、図２）。この構成によると、補助ステップ５１を肥料タンク４６の上に位置させると、後の種子タンク３２に対して種籾が容易に供給できる。
以上は、２種の散布物につき、種籾と肥料で説明したが、その一つが農薬であっても良い。また、肥料もペースト状の液肥を用いることが出来る。作業中はほぼ水平な位置にあって重量バランスが良好な２個のタンク３２，４６が補充に当っては両者が移動するように構成しても良い。その移動方向についても、作業中は前後に並んでいるタンク３２，４６が補充時には左右に並ぶ構成も採用できる。
【００１７】
【効果】
以上のように、作業時には肥料タンク４６及び種子タンク３２がほぼ同じ高さで前後に配置され、肥料タンク４６の前方下部に横軸５２を設け、Ｌ形の補助ステップ５１の端を前記横軸５２で回動自在に取り付けて前記補助ステップ５１を肥料タンク４６の上に位置させることができる構成としたので、オペレータは、補助ステップ５１を肥料タンク４６の上に位置させると、後側の種子タンク３２に対して種子を容易に供給できる。
【図面の簡単な説明】
【図１】この発明を施した湛水直播機の側面図
【図２】その平面図
【図３】その一部の拡大した背面図
【図４】その側面図
【図５】その一部の断面図
【図６】その平面図
【図７】その一部の展開図
【符号の説明】
１  走行車体
２  施肥装置
３  播種装置
１０  フロア
１２  座席
１５  昇降枠
２３  フロート
２７，２８  作溝器
３２  種子タンク
４６  肥料タンク
５１  補助ステップ
５２  横軸
【図１】
0003709699.tif 000002
【図２】
0003709699.tif 000003
【図３】
0003709699.tif 000004
【図４】
0003709699.tif 000005
【図５】
0003709699.tif 000006
【図６】
0003709699.tif 000007
【図７】
0003709699.tif 000008